(57)【要約】【課題】  携帯電話端末の使用を規制するエリア内に電源がオンの携帯電話端末が存在する確率を低くする支援を行う携帯電話端末電源オフ支援システムを提供する。【解決手段】  在圏端末アクセス装置４は携帯電話端末１の識別情報を受信し、受信した識別情報を携帯電話端末管理システム３に出力する。携帯電話端末管理システム３は、その識別情報に関連づけられた携帯電話端末１の使用者名と電話番号を在圏端末アクセス装置４に送信する。在圏端末アクセス装置４は、受信した携帯電話端末１の使用者名を座席情報管理システム２に出力する。座席情報管理システム２は、受信した使用者名に関連づけられた座席識別情報を在圏端末アクセス装置４に送信する。在圏端末アクセス装置４は、受信した座席識別情報によって特定される座席の使用者が有する携帯電話端末の電源がオンであることを表示装置５に表示させる。【選択図】      図１
2005269035.tif 000002
【特許請求の範囲】
【請求項１】
携帯電話端末固有の識別情報を用いて携帯電話端末の電源の状況をその使用位置とともに確認する携帯電話端末電源オフ支援システムであって、
携帯電話端末を識別するための携帯電話端末識別情報と該携帯電話端末の使用者名とを関連づけて格納する識別情報使用者名格納部と、
使用者が特定される座席を識別するための座席識別情報と該座席の使用者名とを関連づけて格納する座席使用者名格納部と、
前記座席を使用する使用者の携帯電話端末から送信された携帯電話端末識別情報を受信する受信部と、
前記受信部によって受信された携帯電話端末識別情報と関連づけて前記識別情報使用者名格納部に格納されている携帯電話端末の使用者名を取得する使用者名取得部と、
前記使用者名取得部によって取得された携帯電話端末の使用者名と関連づけて前記座席使用者名格納部に格納されている座席識別情報を取得する座席識別情報取得部と、
前記座席識別情報取得部によって取得された座席識別情報によって特定される座席の使用者が有する携帯電話端末の電源がオンであることを知らせる通知部とを含む携帯電話端末電源オフ支援システム。
【請求項２】
請求項１に記載の携帯電話端末電源オフ支援システムにおいて、
前記識別情報使用者名格納部は、さらに、前記携帯電話端末に付与されている電話番号を前記携帯電話端末識別情報および前記携帯電話端末の使用者名と関連づけて格納し、
前記使用者名取得部は、前記受信部によって受信された携帯電話端末識別情報と関連づけて前記識別情報使用者名格納部に格納されている携帯電話端末の使用者名および携帯電話端末の電話番号とを取得し、
前記使用者名取得部によって取得された携帯電話端末の電話番号が付与されている携帯電話端末に着信を行う着信実行部をさらに含む、携帯電話端末電源オフ支援システム。
【請求項３】
請求項２に記載の携帯電話端末電源オフ支援システムにおいて、
前記着信実行部によって着信が実行されてから所定時間経過した時点で、前記使用者名取得部によって取得された携帯電話端末の電話番号が付与されている携帯電話端末に電源制御信号を送信する電源制御信号送信部をさらに含み、
前記使用者名取得部によって取得された携帯電話端末の電話番号が付与されている携帯電話端末は、前記電源制御信号を受信すると、電源をオフにし、かつ、所定の機器と接続されるまで電源が再びオンになることを禁止する、携帯電話端末電源オフ支援システム。
【請求項４】
請求項１ないし３のいずれか１項に記載の携帯電話端末電源オフ支援システムにおいて、
前記座席使用者名格納部は、前記座席として飛行機の座席を管理する飛行機座席管理部に設けられている、携帯電話端末電源オフ支援システム。
【請求項５】
請求項３に記載の携帯電話端末電源オフ支援システムから送信される電源制御信号を受信可能な携帯電話端末であって、
前記電源制御信号を受信する電源制御信号受信部と、
前記電源制御信号受信部によって前記電源制御信号が受信された際に、前記携帯電話端末の電源をオフにし、かつ、該携帯電話端末が所定の機器と接続されるまで該携帯電話端末の電源が再びオンになることを禁止する電源制御部とを含む携帯電話端末。
【請求項６】
使用者が特定される座席を使用する使用者の携帯電話端末から送信された、携帯電話端末を識別するための携帯電話端末識別情報を受信する受信ステップと、
前記携帯電話端末識別情報と前記携帯電話端末の使用者名とを関連づけて格納する識別情報使用者名格納部に前記受信ステップで受信した携帯電話端末識別情報と関連づけて格納されている携帯電話端末の使用者名を取得する使用者名取得ステップと、
前記座席を識別するための座席識別情報と該座席の使用者名とを関連づけて格納する座席使用者名格納部に前記使用者名取得ステップで取得した携帯電話端末の使用者名と関連づけて格納されている座席の識別情報を取得する座席識別情報取得ステップと、
前記座席識別情報取得ステップで取得した座席の識別情報によって特定される座席の使用者が有する携帯電話端末の電源がオンであることを知らせる通知ステップとを含む携帯電話端末電源オフ支援方法。
【請求項７】
請求項６に記載の携帯電話端末電源オフ支援システム方法において、
前記識別情報使用者名格納部は、さらに、前記携帯電話端末に付与されている電話番号を前記携帯電話端末識別情報および前記携帯電話端末の使用者名と関連づけて格納し、
前記使用者名取得ステップは、前記受信ステップで受信された携帯電話端末識別情報と関連づけて前記識別情報使用者名格納部に格納されている携帯電話端末の使用者名および携帯電話端末の電話番号とを取得し、
前記使用者名取得ステップによって取得された携帯電話端末の電話番号が付与されている携帯電話端末に着信を行う着信実行ステップをさらに含む、携帯電話端末電源オフ支援方法。
【請求項８】
請求項７に記載の携帯電話端末電源オフ支援方法において、
前記着信実行ステップで着信が実行されてから所定時間経過した時点で、前記使用者名取得ステップで取得された携帯電話端末の電話番号が付与されている携帯電話端末に電源制御信号を送信する電源制御信号送信ステップをさらに含み、
前記使用者名取得ステップによって取得された携帯電話端末の電話番号が付与されている携帯電話端末は、前記電源制御信号を受信すると電源をオフにしかつ所定の機器と接続されるまで電源が再びオンになることを禁止する、携帯電話端末電源オフ支援方法
【請求項９】
請求項８に記載の携帯電話端末電源オフ支援方法で送信される電源制御信号を受信することが可能な携帯電話端末が行う電源制御方法であって、
前記電源制御信号を受信する電源制御信号受信ステップと、
前記電源制御信号受信ステップで前記電源制御信号が受信された際に、前記携帯電話端末の電源をオフにし、かつ、該携帯電話端末が所定の機器と接続されるまで該携帯電話端末の電源が再びオンになることを禁止する電源制御ステップとを含む電源制御方法。
【発明の詳細な説明】
【技術分野】
【０００１】
本発明は、携帯電話端末電源オフ支援システム、携帯電話端末電源オフ支援方法および携帯電話端末および電源制御方法に関する。
【背景技術】
【０００２】
飛行機内等の携帯電話端末の使用が規制されているエリアでは、そのエリア内に存在するすべての人を対象にして、携帯電話端末の使用を禁止する旨の通知が行われている。携帯電話端末のユーザは、携帯電話端末の使用を禁止する旨の通知を受けると、携帯電話端末の電源をオフしていた。
【０００３】
しかしながら、携帯電話端末のユーザが携帯電話端末の使用を禁止する旨の通知を無視した場合、携帯電話端末の使用を規制するエリア内で携帯電話端末が使用されてしまうという問題が生じる。例えば、飛行機内で携帯電話端末が使用されると、飛行機の電子機器が誤動作する可能性が生じる。
【０００４】
従来、携帯電話端末の使用が規制されているエリア内、例えば飛行機内で携帯電話端末が使用されてしまうという問題を回避するための技術が提案されている。
【０００５】
例えば、特許文献１（特開２００１−１５７２６６号公報）および特許文献２（特開平１０−２１５４８３号公報）には、携帯電話端末の使用を規制するエリア内で携帯電話端末の電源を自動的にオフする移動通信システムが記載されている。
【０００６】
また、特許文献３（特開２００１−１６０９８５号公報）には、携帯電話端末の使用を規制するエリア内で携帯電話端末の電源を自動的にオフするとともに、携帯電話端末のユーザの現在位置が携帯電話端末の使用を規制するエリアであることを示す表示を携帯電話端末に実行させる携帯電話システムが記載されている。
【特許文献１】特開２００１−１５７２６６号公報
【特許文献２】特開平１０−２１５４８３号公報
【特許文献３】特開２００１−１６０９８５号公報
【発明の開示】
【発明が解決しようとする課題】
【０００７】
携帯電話端末のユーザが携帯電話端末の使用を禁止する旨の通知を無視した場合、携帯電話端末の使用を規制するエリア内で携帯電話端末が使用されてしまうという問題が生じる。例えば、飛行機内で携帯電話端末が使用されると、飛行機の電子機器が誤動作する可能性が生じる。
【０００８】
また、携帯電話端末の電源をオフにする旨のアナウンスを無視したユーザの携帯電話端末の電源を、特許文献１、特許文献２および特許文献３に記載の技術を用いて、強制的にオフすることが考えられる。しかしながら、携帯電話端末の電源をオフにする旨のアナウンスを無視するユーザは、携帯電話端末の電源が自動的にオフになっても、携帯電話端末の電源を再度オンにする可能性がある。
【０００９】
携帯電話端末の使用を規制するエリア内で携帯電話端末が使用されてしまうという問題を解決する方法の１つは、携帯電話端末の電源をオフにする旨のアナウンスを無視するユーザを特定し、特定したユーザに対して、直接、携帯電話端末の電源をオフすることを通知したり、特定したユーザを監視したりすることが有効である。しかしながら、従来、携帯電話端末の電源をオフにする旨のアナウンスを無視するユーザを特定することは困難であった。
【００１０】
本発明の目的は、携帯電話端末の電源をオフにする旨のアナウンスを無視するユーザを特定することを可能にすることによって、携帯電話端末の使用を規制するエリア内に電源がオンの携帯電話端末が存在する確率を低くする支援を行う携帯電話端末電源オフ支援システム、携帯電話端末電源オフ支援方法、携帯電話端末および電源制御方法を提供することである。
【課題を解決するための手段】
【００１１】
上記の目的を達成するために、本発明の携帯電話端末電源オフ支援システムは、携帯電話端末固有の識別情報を用いて携帯電話端末の電源の状況をその使用位置とともに確認する携帯電話端末電源オフ支援システムであって、携帯電話端末を識別するための携帯電話端末識別情報と該携帯電話端末の使用者名とを関連づけて格納する識別情報使用者名格納部と、使用者が特定される座席を識別するための座席識別情報と該座席の使用者名とを関連づけて格納する座席使用者名格納部と、前記座席を使用する使用者の携帯電話端末から送信された携帯電話端末識別情報を受信する受信部と、前記受信部によって受信された携帯電話端末識別情報と関連づけて前記識別情報使用者名格納部に格納されている携帯電話端末の使用者名を取得する使用者名取得部と、前記使用者名取得部によって取得された携帯電話端末の使用者名と関連づけて前記座席使用者名格納部に格納されている座席識別情報を取得する座席識別情報取得部と、前記座席識別情報取得部によって取得された座席識別情報によって特定される座席の使用者が有する携帯電話端末の電源がオンであることを知らせる通知部とを含む。
【００１２】
また、本発明の携帯電話端末電源オフ支援方法は、使用者が特定される座席を使用する使用者の携帯電話端末から送信された、携帯電話端末を識別するための携帯電話端末識別情報を受信する受信ステップと、前記携帯電話端末識別情報と前記携帯電話端末の使用者名とを関連づけて格納する識別情報使用者名格納部に前記受信ステップで受信した携帯電話端末識別情報と関連づけて格納されている携帯電話端末の使用者名を取得する使用者名取得ステップと、前記座席を識別するための座席識別情報と該座席の使用者名とを関連づけて格納する座席使用者名格納部に前記使用者名取得ステップで取得した携帯電話端末の使用者名と関連づけて格納されている座席の識別情報を取得する座席識別情報取得ステップと、前記座席識別情報取得ステップで取得した座席の識別情報によって特定される座席の使用者が有する携帯電話端末の電源がオンであることを知らせる通知ステップとを含む。
【００１３】
上記の発明によれば、座席の使用者が有している携帯電話端末から送信される携帯電話端末識別情報に基づいて、携帯電話端末の電源がオンになっている人が使用する座席が特定される。このため、座席に基づいて携帯電話端末の電源がオンになっている人を特定でき、携帯電話端末の電源がオンになっている人に対して携帯電話端末の電源をオフにすることを直接通知することが可能となり、携帯電話端末のユーザによって携帯電話端末の電源が確実にオフされる確率が高くなる。
【００１４】
また、上記携帯電話端末電源オフ支援システムにおいて、前記識別情報使用者名格納部は、さらに、前記携帯電話端末に付与されている電話番号を前記携帯電話端末識別情報および前記携帯電話端末の使用者名と関連づけて格納し、前記使用者名取得部は、前記受信部によって受信された携帯電話端末識別情報と関連づけて前記識別情報使用者名格納部に格納されている携帯電話端末の使用者名および携帯電話端末の電話番号とを取得し、前記使用者名取得部によって取得された携帯電話端末の電話番号が付与されている携帯電話端末に着信を行う着信実行部をさらに含むことが望ましい。
【００１５】
また、上記携帯電話端末電源オフ支援システム方法において、前記識別情報使用者名格納部は、さらに、前記携帯電話端末に付与されている電話番号を前記携帯電話端末識別情報および前記携帯電話端末の使用者名と関連づけて格納し、前記使用者名取得ステップは、前記受信部によって受信された携帯電話端末識別情報と関連づけて前記識別情報使用者名格納部に格納されている携帯電話端末の使用者名および携帯電話端末の電話番号とを取得し、前記使用者名取得ステップによって取得された携帯電話端末の電話番号が付与されている携帯電話端末に着信を行う着信実行ステップをさらに含むことが望ましい。
【００１６】
上記の発明によれば、電源がオンの携帯電話端末に対して着信を実行できる。携帯電話端末のユーザは、着信を受けることによって、携帯電話端末の電源をオフにする操作を忘れていたことを認識でき、携帯電話端末の電源の切り忘れが少なくなる。
【００１７】
また、上記携帯電話端末電源オフ支援システムにおいて、前記着信実行部によって着信が実行されてから所定時間経過した時点で、前記使用者名取得部によって取得された携帯電話端末の電話番号が付与されている携帯電話端末に電源制御信号を送信する電源制御信号送信部をさらに含み、前記使用者名取得部によって取得された携帯電話端末の電話番号が付与されている携帯電話端末は、前記電源制御信号を受信すると、電源をオフにし、かつ、所定の機器と接続されるまで電源が再びオンになることを禁止することが望ましい。
【００１８】
また、上記携帯電話端末電源オフ支援方法において、前記着信実行ステップで着信が実行されてから所定時間経過した時点で、前記使用者名取得ステップで取得された携帯電話端末の電話番号が付与されている携帯電話端末に電源制御信号を送信する電源制御信号送信ステップをさらに含み、前記使用者名取得ステップによって取得された携帯電話端末の電話番号が付与されている携帯電話端末は、前記電源制御信号を受信すると電源をオフにしかつ所定の機器と接続されるまで電源が再びオンになることを禁止することが望ましい。
【００１９】
上記の発明によれば、着信を行っても携帯電話端末の電源がオフされない場合に、携帯電話端末の電源をオフし、かつ携帯電話端末の電源を再度オンする際に煩わしい動作を強いるようにする。したがって、携帯電話端末の電源をオフにした後、直ちに、携帯電話端末の電源が再びオンされることを抑制できる。また、着信による電源オフ指示を無視した場合に、携帯電話端末の電源を再度オンする際に煩わしい動作を強いるため、着信による電源オフ指示を無視する携帯電話端末のユーザを減らすことが可能となる。
【００２０】
また、上記携帯電話端末電源オフ支援システムにおいて、前記座席使用者名格納部は、前記座席として飛行機の座席を管理する飛行機座席管理部に設けられていることが望ましい。
【００２１】
上記の発明によれば、飛行機内で携帯電話端末の電源がオフになる可能性が高くなるので、飛行機の安全運行を促進することが可能となる。
【００２２】
また、本発明の携帯電話端末は、上記携帯電話端末電源オフ支援システムから送信される電源制御信号を受信可能な携帯電話端末であって、前記電源制御信号を受信する電源制御信号受信部と、前記電源制御信号受信部によって前記電源制御信号が受信された際に、前記携帯電話端末の電源をオフにし、かつ、該携帯電話端末が所定の機器と接続されるまで該携帯電話端末の電源が再びオンになることを禁止する電源制御部とを含む。
【００２３】
また、本発明の電源制御方法は、上記携帯電話端末電源オフ支援方法で送信される電源制御信号を受信することが可能な携帯電話端末が行う電源制御方法であって、前記電源制御信号を受信する電源制御信号受信ステップと、前記電源制御信号受信ステップで前記電源制御信号が受信された際に、前記携帯電話端末の電源をオフにし、かつ、該携帯電話端末が所定の機器と接続されるまで該携帯電話端末の電源が再びオンになることを禁止する電源制御ステップとを含む。
【００２４】
上記の発明によれば、電源制御信号によって携帯電話端末の電源がオフになると、その後、携帯電話端末の電源を再度オンするのに手間がかかるため、携帯電話端末のユーザが携帯電話端末の電源をオフにすることを促す効果が生じる。
【発明の効果】
【００２５】
本発明によれば、座席の使用者が有している携帯電話端末から送信される識別情報に基づいて、携帯電話端末の電源がオンになっている人が使用する座席が特定される。このため、座席に基づいて携帯電話端末の電源がオンになっている人を特定でき、その人に対して携帯電話端末の電源をオフにすることを直接通知することが可能となり、携帯電話端末のユーザが携帯電話端末の電源をオフする確率が高くなる。
【００２６】
また、飛行機の座席の場合であれば、飛行機内で携帯電話端末の電源がオフになる可能性が高くなり、飛行機の安全運行を促進することが可能となる。
【発明を実施するための最良の形態】
【００２７】
以下、本発明の一実施例を図面を参照して説明する。
【００２８】
図１は、本発明の一実施例の携帯電話端末電源オフ支援システムを示したブロック図である。図１において、携帯電話端末電源オフ支援システムは、携帯電話端末１と、座席情報管理システム２と、携帯電話端末管理システム３と、在圏端末アクセス装置４と、表示装置５とを含む。在圏端末アクセス装置４は、インターネット等のネットワーク（通信回線）６を介して座席情報管理システム２および携帯電話端末管理システム３と接続し、携帯電話端末１と無線通信を行う。
【００２９】
携帯電話端末１は、アンテナ１ａと、無線通信部１ｂと、電源供給スイッチ１ｃと、コネクタ１ｄと、制御部１ｅと、着信動作実行部１ｆと、電源オン操作部１ｇとを含む。
【００３０】
飛行機座席管理部としての座席情報管理システム２は、座席使用者名格納部２ａと、座席情報管理サーバ２ｂとを含む。座席情報管理システム２は、例えば航空会社によって運営される。
【００３１】
携帯電話端末管理部としての携帯電話端末管理システム３は、識別情報使用者名格納部３ａと、携帯電話端末管理サーバ３ｂとを含む。携帯電話端末管理システム３は、例えば携帯電話会社によって運営される。
【００３２】
在圏端末アクセス装置４は、アンテナ４ａと、無線通信部４ｂと、タイマ４ｃと、メモリ４ｄと、通信部４ｅと、制御部４ｆとを含む。在圏端末アクセス装置４は、例えば航空会社によって運営される
在圏端末アクセス装置４は、携帯電話端末の使用が規制されているエリアに存在する携帯電話端末１と無線信号を用いて通信することが可能である。なお、本実施例では、携帯電話端末の使用が規制されているエリアは、飛行機内さらに言えば飛行機内の座席が設けられている領域である。
【００３３】
アンテナ１ａは、無線信号の送受信を行う。無線通信部１ｂは、制御部１ｅから出力された送信データを変調し、変調した送信データをアンテナ１ａから無線信号で送信させ、また、アンテナ１ａによって受信された無線信号の復調を行う。例えば、無線通信部１ｂは、携帯電話端末１の位置登録信号をアンテナ１ａから無線信号で送信させ、また、在圏端末アクセス装置４から送信された電源制御信号と電源通知としての着信信号とを受信する。なお、アンテナ１ａから送信される位置登録信号は、携帯電話端末１を識別するための識別情報を含む。
【００３４】
電源供給スイッチ１ｃは、携帯電話端末１の電源のオン、オフを行う。なお、電源供給スイッチ１ｃは、制御部１ｅによって動作が制御される。
【００３５】
コネクタ１ｄは、パソコン等の再電源オン用の所定の機器６と接続される。なお、所定の機器６は、パソコンに限るものではなく適宜変更可能である。
【００３６】
制御部１ｅは、コンピュータとしてのＣＰＵ１ｅ１と、コンピュータによって読み取り可能な記録媒体としてのメモリ１ｅ２とを含む。メモリ１ｅ２は、携帯電話端末１の動作を規定するプログラムおよび携帯電話端末１の識別情報とを記録している。ＣＰＵ１ｅ１は、メモリ１ｅ２に記録されているプログラムを読み込み、読み込んだプログラムを実行することによって、携帯電話端末１を制御する。なお、以下では、ＣＰＵ１ｅ１が実行する処理を、制御部１ｅが実行する処理として説明する。
【００３７】
例えば、制御部１ｅは、アンテナ１ａを介して無線通信部１ｂが電源制御信号を受信した際、携帯電話端末１の電源をオフにするとともに携帯電話端末１がコネクタ１ｄを介して所定の機器６と接続されるまで携帯電話端末１の電源を再びオンになることを禁止する。
【００３８】
着信動作実行部１ｆは、スピーカまたは振動部等を含み、携帯電話端末１が着信信号を受けると、着信動作、例えば、着信音の出力または振動を実行する。電源オン操作部１ｇは、ユーザによって操作された際に電源オン信号を制御部１ｅに出力する。
【００３９】
座席使用者名格納部２ａは、座席の識別情報とその座席の使用者名とを関連づけて格納する。座席使用者名格納部２ａに格納されている座席の識別情報によって特定される座席は、携帯電話端末の使用が規制されているエリア内の座席であり、さらに言えば、在圏端末アクセス装置４が無線通信を行えるエリア内に存在する座席である。本実施例では、座席使用者名格納部２ａに格納されている座席の識別情報によって特定される座席として、飛行機内の座席を用いる。
【００４０】
図２は、座席使用者名格納部２ａの一例を示した説明図である。図２において、座席使用者名格納部２ａは、座席を識別するための座席識別情報（例えば、座席番号）２ａ１とその座席の使用者名２ａ２とを関連づけて格納している。
【００４１】
図１に戻って、座席情報管理サーバ２ｂは、座席情報管理システム２全体を管理する。例えば、座席情報管理サーバ２ｂは、在圏端末アクセス装置４から送信された使用者名を受信すると、その使用者名に関連づけて座席使用者名格納部２ａに格納されている座席識別情報を在圏端末アクセス装置４に送信する。
【００４２】
識別情報使用者格納部３ａは、携帯電話端末１を識別するための識別情報と携帯電話端末１の使用者名と携帯電話端末１に付与されている電話番号とを関連づけて格納する。
【００４３】
図３は、識別情報使用者格納部３ａの一例を示した説明図である。図３において、識別情報使用者格納部３ａは、携帯電話端末１の識別情報３ａ１と、携帯電話端末１の使用者名３ａ２と、携帯電話端末１の電話番号３ａ３とを関連づけて格納している。
【００４４】
図１に戻って、携帯電話端末管理サーバ３ｂは、携帯電話端末管理システム３全体を管理する。例えば、携帯電話端末管理サーバ３ｂは、在圏端末アクセス装置４から送信された携帯電話端末１の識別情報を受信すると、その携帯電話端末１の識別情報に関連づけて識別情報使用者名格納部３ａに格納されている携帯電話端末１の使用者名３ａ２および携帯電話端末１の電話番号３ａ３とを在圏端末アクセス装置４に送信する。
【００４５】
アンテナ４ａは、携帯電話端末１のアンテナ１ａとの間で、無線信号の送受信を行う。
【００４６】
無線通信部４ｂは、制御部４ｆから出力された送信データを変調し、変調した送信データをアンテナ４ａから無線信号で送信させ、また、アンテナ４ａによって受信された無線信号の復調を行う。
【００４７】
例えば、無線通信部４ｂは、携帯電話端末１から送信された位置登録信号をアンテナ４ａを介して受信する。また、無線通信部４ｂは、携帯電話端末１の電源をオフすることを促す電源通知としての着信信号と、携帯電話端末１の電源をオフにするとともに携帯電話端末１が所定の機器と接続されるまで携帯電話端末１の電源が再びオンになることを禁止する電源制御信号とを送信する。
【００４８】
タイマ４ｃは、制御部４ｆによって動作が制御される。例えば、タイマ４ｃは、制御部４ｆが電源通知を行った時点から動作を開始する。制御部４ｆは、電源通知を行ってからタイマ４ｃが所定時間を計時した時点で電源制御信号を送信する。
【００４９】
メモリ４ｄは、携帯電話端末管理システム３から取得した携帯電話端末１の使用者名および電話番号と、座席情報管理システム２から取得した座席識別番号とを格納する。
【００５０】
通信部４ｅは、ネットワーク６を介して、座席情報管理システム２および携帯電話端末管理システム３と通信を行う。
【００５１】
例えば、通信部４ｅは、無線通信部４ｂによって受信された携帯電話端末１の識別情報をネットワーク６を介して携帯電話端末管理システム３に送信し、携帯電話端末管理システム３から送信された携帯電話端末１の使用者名および携帯電話端末１の電話番号を受信する。
【００５２】
また、通信部４ｅは、携帯電話端末管理システム３から送信された携帯電話端末１の使用者名をネットワーク６を介して座席情報管理システム２に送信し、座席情報管理システム２から送信された座席の識別情報を受信する。
【００５３】
制御部４ｆは、コンピュータとしてのＣＰＵ４ｆ１と、コンピュータによって読み取り可能な記録媒体としてのメモリ４ｆ２とを含む。メモリ４ｆ２は、在圏端末アクセス装置４の動作を規定するプログラムを記録している。ＣＰＵ４ｆ１は、メモリ４ｆ２に記録されているプログラムを読み込み、読み込んだプログラムを実行することによって、在圏端末アクセス装置４を制御する。なお、以下では、ＣＰＵ４ｆ１が実行する処理を、制御部４ｆが実行する処理として説明する。
【００５４】
例えば、制御部４ｆは、アンテナ４ａを介して無線通信部４ｂが携帯電話端末１の位置登録信号を受信した際、受信した位置登録信号から携帯電話端末１の識別情報を取り出す。制御部４ｆは、取り出した携帯電話端末１の識別情報を、通信部４ｅからネットワーク６を介して携帯電話端末管理システム３に出力する。
【００５５】
また、制御部４ｆは、通信部４ｅが携帯電話端末管理システム３から携帯電話端末１の使用者名および電話番号を受信すると、受信した携帯電話端末１の使用者名を、通信部４ｅからネットワーク６を介して座席情報管理システム２に出力する。
【００５６】
また、制御部４ｆは、通信部４ｅが座席の識別情報を受信すると、受信した座席の識別情報によって特定される座席の使用者が有する携帯電話端末の電源がオンであることを表示装置５に表示させる。機内の乗務員は、表示装置５の表示を見ることによって、電源がオンとなっている携帯電話端末を所有している使用者の座席を特定することができる。よって、機内の乗務員は、電源がオンとなっている携帯電話端末を所有している使用者に対して、直接、携帯電話端末の電源をオフにする旨のメッセージを伝えることが可能となる。
【００５７】
また、制御部４ｆは、通信部４ｅが携帯電話端末管理システム３から携帯電話端末１の使用者名および電話番号を受信すると、受信した携帯電話端末１の電話番号が付与されている携帯電話端末１に対して着信を送ることによって携帯電話端末１の電源オフを促す電源通知を実行する。
【００５８】
また、制御部４ｆは、電源通知を実行した後、タイマ４ｃを動作させ、タイマ４ｃが所定時間を計時すると、電源制御信号を携帯電話端末１に送信する。
【００５９】
次に、動作を説明する。
【００６０】
図４は、携帯電話端末電源オフ支援システムの動作を説明するためのシーケンス図である。以下、図４を参照して、携帯電話端末電源オフ支援システムの動作を説明する。
【００６１】
携帯電話端末１の制御部１ｅは、メモリ１ｅ２に記録されている携帯電話端末１の識別情報（ＩＤ）を含む位置登録信号を無線通信部１ｂに供給する。無線通信部１ｂは、制御部１ｅから供給された位置登録信号をアンテナ１ａから送信する（ステップＡ１）。
【００６２】
在圏端末アクセス装置４の制御部４ｆは、アンテナ４ａを介して無線通信部４ｂが携帯電話端末１の位置登録信号を受信した際、受信した位置登録信号から携帯電話端末１の識別情報（ＩＤ）を取り出す（ステップＡ２）。
【００６３】
制御部４ｆは、携帯電話端末１の位置登録信号から取り出した携帯電話端末１の識別情報（ＩＤ）を、通信部４ｅからネットワーク６を介して携帯電話端末管理システム３に出力する（ステップＡ３）。
【００６４】
携帯電話端末管理システム３の携帯電話端末管理サーバ３ｂは、在圏端末アクセス装置４から送信された携帯電話端末１の識別情報（ＩＤ）を受信すると、その携帯電話端末１の識別情報（ＩＤ）に関連づけて識別情報使用者名格納部３ａに格納されている携帯電話端末１の使用者名および携帯電話端末１の電話番号とを検索する（ステップＡ４）。
【００６５】
携帯電話端末管理サーバ３ｂは、受信した携帯電話端末１の識別情報（ＩＤ）に関連づけて識別情報使用者名格納部３ａに格納されている携帯電話端末１の使用者名および携帯電話端末１の電話番号とを在圏端末アクセス装置４に送信する（ステップＡ５）。
【００６６】
在圏端末アクセス装置４の制御部４ｆは、通信部４ｅが携帯電話端末管理システム３から携帯電話端末１の使用者名および電話番号を受信すると、受信した携帯電話端末１の使用者名を、通信部４ｅからネットワーク６を介して座席情報管理システム２に出力する（ステップＡ６）。
【００６７】
座席情報管理システム２の座席情報管理サーバ２ｂは、在圏端末アクセス装置４から送信された使用者名を受信すると、その使用者名に関連づけて座席使用者名格納部２ａに格納されている座席識別情報を検索する（ステップＡ７）。
【００６８】
座席情報管理サーバ２ｂは、在圏端末アクセス装置４から送信された使用者名に関連づけて座席使用者名格納部２ａに格納されている座席識別情報を在圏端末アクセス装置４に送信する（ステップＡ８）。
【００６９】
在圏端末アクセス装置４の制御部４ｆは、通信部４ｅが座席識別情報を受信すると、受信した座席識別情報によって特定される座席の使用者が有する携帯電話端末の電源がオンであることを表示装置５に表示させる（ステップＡ９）。
【００７０】
機内の乗務員は、表示装置５の表示を見ることによって、電源がオンとなっている携帯電話端末を所有している使用者の座席を特定することができる。機内の乗務員は、電源がオンとなっている携帯電話端末を所有している使用者に対して、直接、携帯電話端末の電源をオフにする旨のメッセージを伝えることが可能となる。よって、本実施例の携帯電話端末電源オフ支援システムは、電源がオンになっている携帯電話端末を無くすことを支援することが可能となる。
【００７１】
制御部４ｆは、受信した座席識別情報によって特定される座席の使用者が有する携帯電話端末の電源がオンであることを表示装置５に表示させた後、通信部４ｅが携帯電話端末管理システム３から受信した携帯電話端末１の電話番号が付与された携帯電話端末１に対して着信を送ることによって携帯電話端末１の電源オフを促す電源通知を実行する（ステップＡ１０）。
【００７２】
電源がオフになっていない携帯電話端末１の制御部１ｅは、着信を受けると、着信動作実行部１ｆを動作させ、携帯電話端末１のユーザに着信を知らせる（ステップＡ１１）。携帯電話端末１のユーザは、着信を受けることによって、携帯電話端末１の電源をオフにする操作を忘れていたことを認識でき、携帯電話端末１の電源の切り忘れが少なくなる。
【００７３】
制御部４ｆは、電源通知を実行した後、タイマ４ｃを動作させ、タイマ４ｃが所定時間を計時すると、通信部４ｅが携帯電話端末管理システム３から受信した携帯電話端末１の電話番号が付与された携帯電話端末１に対して電源制御信号を送信する（ステップＡ１２）。
【００７４】
なお、在圏端末アクセス装置４は、電源制御信号を携帯電話端末１に送信する前に、電源がオンになっている携帯電話端末１に対して、携帯電話端末１の電源をオフにし、かつ、携帯電話端末１がコネクタ１ｄを介して所定の機器６と接続されるまで携帯電話端末１の電源を再びオンにする電源制御信号を送信する旨のアナウンスを携帯電話端末１のユーザに対して行うことが望ましい。
【００７５】
電源がオフになっていない携帯電話端末１の制御部１ｅは、アンテナ１ａを介して無線通信部１ｂが電源制御信号を受信した際、携帯電話端末１の電源供給スイッチ１ｃをオフにして携帯電話端末１の電源をオフにし、かつ、携帯電話端末１がコネクタ１ｄを介して所定の機器６と接続されるまで携帯電話端末１の電源を再びオンにすることを禁止する（ステップＡ１３）。例えば、制御部１ｅは、コネクタ１ｄが所定の機器６に接続されていない場合、電源オン操作部１ｇから供給される電源オン信号の受け付けを禁止する。
【００７６】
本実施例では、電源制御信号によって携帯電話端末１の電源がオフになると、その後、携帯電話端末１の電源を再度オンするのに手間がかかるため、携帯電話端末１のユーザが携帯電話端末１の電源をオフにすることを促す効果が生じる。
【００７７】
電源制御信号の受信によって電源がオフになった携帯電話端末１のコネクタ１ｄに所定の機器６が接続されると、制御部１ｅは、電源オン操作部１ｇから供給される電源オン信号の受け付けを開始する。この状態で電源オン操作部１ｇが操作されると、制御部１ｅは、電源供給スイッチ１ｃをオンにして、携帯電話端末１の電源を再度オンする（ステップＡ１４）。
【００７８】
例えば、所定の機器６は、コネクタ１ｄと接続された際に、所定の暗号あるいは解除コードをコネクタ１ｄに供給し、制御部１ｅは、所定の暗号あるいは解除コードを受けると電源オン操作部１ｇから供給される電源オン信号の受け付けを開始するようにしてもよい。
【００７９】
本実施例では、座席として飛行機の座席を用いたが、使用者が決まっている座席であり、座席の識別情報と座席の使用者とを関連づけて記録した格納部が設けてあれば、座席は飛行機の座席に限らず適宜変更可能である。
【００８０】
また、在圏端末アクセス装置４内に、識別情報使用者名格納部３ａおよび座席使用者名格納部２ａを設けてもよい。この場合、在圏端末アクセス装置４の制御部４ｆは、飛行機が飛んでいる間も、識別情報使用者名格納部３ａおよび座席使用者名格納部２ａに接続することが可能となる。したがって、飛行機内で、常に、電源がオンになっている携帯電話端末の存在を監視することが可能となる。
【００８１】
本実施例によれば、座席の使用者が有している携帯電話端末１から送信される識別情報に基づいて携帯電話端末の電源がオンになっている人が使用する座席が特定される。このため、座席に基づいて携帯電話端末の電源がオンになっている人を特定でき、携帯電話端末の電源がオンになっている人に対して携帯電話端末の電源をオフにすることを直接通知することが可能となり、携帯電話端末のユーザによって携帯電話端末の電源が確実にオフされる確率が高くなる。
【００８２】
なお、携帯電話端末１は、在圏端末アクセス装置４から送信された電源制御信号を受信するだけでなく、在圏端末アクセス装置４と異なる送信装置から送信された電源制御信号を受信してもよい。
【００８３】
また、制御部１ｅは、表示装置５を用いて、携帯電話端末の電源がオンである使用者の座席位置を機内の人に知らせるようにしたが、例えば、音声により、携帯電話端末の電源がオンである使用者の座席位置を機内の人に知らせるようにしてもよい。
【００８４】
以上説明した実施例において、図示した構成は単なる一例であって、本発明はその構成に限定されるものではない。
【図面の簡単な説明】
【００８５】
【図１】本発明の一実施例の携帯電話端末電源オフ支援システムを示したブロック図である。
【図２】座席使用者名格納部２ａに格納された情報の一例を示した説明図である。
【図３】識別情報使用者名格納部３ａに格納された情報の一例を示した説明図である。
【図４】携帯電話端末電源オフ支援システムの動作を説明するためのシーケンス図である。
【符号の説明】
【００８６】
１      携帯電話端末
１ａ    アンテナ
１ｂ    無線通信部
１ｃ    電源供給スイッチ
１ｄ    コネクタ
１ｅ    制御部
１ｅ１  ＣＰＵ
１ｅ２  メモリ
１ｆ    着信動作実行部
１ｇ    電源オン操作部
２      座席情報管理システム
２ａ    座席使用者名格納部
２ｂ    座席情報管理サーバ
３      携帯電話端末管理システム
３ａ    識別情報使用者名格納部
３ｂ    携帯電話端末管理サーバ
４      在圏端末アクセス装置
４ａ    アンテナ
４ｂ    無線通信部
４ｃ    タイマ
４ｄ    メモリ
４ｅ    通信部
４ｆ    制御部
４ｆ１  ＣＰＵ
４ｆ２  メモリ
５      表示装置
６      ネットワーク
【図１】
2005269035.tif 000003
【図２】
2005269035.tif 000004
【図３】
2005269035.tif 000005
【図４】
2005269035.tif 000006